(57)【要約】【課題】機械絞りまたは、シャッタ速度または、撮影感度の３つの撮影調整要素のうち、一つの要素の調整状態を変更する時に、光透過率変更部を制御することで、露出量および、変更した要素以外の要素の調整状態の双方を一定に保つ制御部を有する撮影システムを提供すること。【解決手段】光透過率可変素子を有する撮影システムにおいて、機械絞りまたは、シャッタ速度または、撮影感度の３つの撮影調整要素のうち、一つの要素の調整状態を変更する時に、前記光透過率可変素子を制御することで、露出量および、前記変更した要素以外の要素の調整状態を一定に保つ制御部を有することを特徴とする撮影装置とする構成とした。【選択図】図１
2016033562.tif 000002
【特許請求の範囲】
【請求項１】
光透過率可変素子を有する撮影システムにおいて、
機械絞りまたは、シャッタ速度または、撮影感度の３つの撮影調整要素のうち、一つの要素の調整状態を変更する時に、
前記光透過率可変素子を制御することで、露出量および、前記変更した要素以外の要素の調整状態を一定に保つ制御部を有することを特徴とする撮影装置。
【請求項２】
請求項１に記載の撮影システムにおいて、前記制御部が、前記光透過率可変素子の動作性能と、前記調整状態を一定に保つ要素の動作性能を、同一にすることを特徴とする撮影装置。
【請求項３】
請求項２に記載の撮影システムにおいて、前記制御部が、前記光透過率可変素子の応答性能と、前記調整状態を一定に保つ制御を行う要素の応答性能のうち、応答性能の低い要素の位置信号に基づいて、応答性能の高い要素を制御することを特徴とする撮影装置。
【請求項４】
請求項１乃至請求項３の何れか一項に記載の撮影システムにおいて、前記光透過率可変素子が、液晶調光素子または、エレクトロクロミック素子または、連続調光光学フィルタであることを特徴とする撮影装置。
【請求項５】
請求項１乃至請求項４の何れか一項に記載の撮影システムのレンズ装置において、前記撮影システムは、分離可能なレンズ装置およびカメラ装置にて構成され、機械絞りまたは、シャッタ速度または、撮影感度の３つの撮影調整要素のうち、一つの要素の調整状態を変更する時に、前記光透過率可変素子を制御することで、露出量および、前記変更した要素以外の要素の調整状態を一定に保つ制御部を有することを特徴とするレンズ装置。
【請求項６】
請求項１乃至請求項５の何れか一項に記載の撮影システムのカメラ装置において、前記撮影システムは、分離可能なレンズ装置およびカメラ装置にて構成され、機械絞りまたは、シャッタ速度または、撮影感度の３つの撮影調整要素のうち、一つの要素の調整状態を変更する時に、前記光透過率可変素子を制御することで、露出量および、前記変更した要素以外の要素の調整状態を一定に保つ制御部を有することを特徴とするカメラ装置。
【請求項７】
請求項１乃至請求項５の何れか一項に記載の撮影システムのレンズ装置において、前記撮影システムは、分離可能なレンズ装置およびカメラ装置にて構成され、前記レンズ装置は、前記機械絞りおよび前記光透過率可変素子を有し、前記カメラ装置は、前記シャッタ速度を調整するシャッタ速度調整部または、撮影感度を調整する撮影感度調整部を有し、前記シャッタ速度または撮影感度の調整状態が変更される場合、前記レンズ装置は、前記カメラ装置から、前記シャッタ速度または撮影感度の調整状態を取得し、この取得結果に基づいて前記透過率可変素子を制御することを特徴とするレンズ装置。
【発明の詳細な説明】
【技術分野】
【０００１】
本発明は、光透過率可変素子を有する撮影システム、レンズ装置、撮影装置に関する。
【背景技術】
【０００２】
従来、被写体背景がボケた状態から、ボケのない状態となるような映像効果を得る場合、撮影システムの機械絞りを開け、露出量を一定に保つために、シャッタ速度を速くするか、撮影感度を下げる制御を行っていた。特許文献１および特許文献２において、露出量一定を保つ技術が開示されている。
【先行技術文献】
【特許文献】
【０００３】
【特許文献１】特開２０１０−１５２１５０号公報
【特許文献２】特開２００９−１９４８２０号公報
【発明の概要】
【発明が解決しようとする課題】
【０００４】
しかしながら、上述の特許文献に開示された従来技術では、シャッタ速度や撮影感度を変更すると、撮影者の意図とは関係なく、映像の見え方も変わってしまうという問題を生じる。例えば、シャッタ速度が遅くなると、流し撮りのような映像となってしまう。また、撮影感度が上がると、映像全体にざらつき感が生じてしまう。
【０００５】
一方で、被写体距離やレンズの焦点距離を変更しても、被写体背景のボケを変えることは可能であるが、被写体サイズが変わる、あるいは、画角が変わるにより、映像としての見え方も変わってしまう。
【０００６】
そこで、本発明の目的は、機械絞りまたは、シャッタ速度または、撮影感度の３つの撮影調整要素のうち、一つの要素の調整状態を変更する時に、露出量および、変更した要素以外の要素の調整状態の双方を一定に保つ撮影システムを提供することにある。また、上記目的を実現するレンズ装置やカメラ装置を提供することにある。
【課題を解決するための手段】
【０００７】
上記目的を達成するために、本発明は、
光透過率可変素子を有する撮影システムにおいて、機械絞りまたは、シャッタ速度または、撮影感度の３つの撮影調整要素のうち、一つの要素の調整状態を変更する時に、前記光透過率変更部を制御することで、露出量および、前記変更した要素以外の要素の調整状態の双方を一定に保つ制御部を有することを特徴とする撮影システムとする構成をとる。
【発明の効果】
【０００８】
本発明によれば、機械絞りまたは、シャッタ速度または、撮影感度の３つの撮影調整要素のうち、一つの要素の調整状態を変更する時に、露出量および、変更した要素以外の要素の調整状態を一定に保つ撮影システム、レンズ装置、カメラ装置を提供ことができる。
【図面の簡単な説明】
【０００９】
【図１】実施例１に用いるレンズ装置１の機能ブロック図。
【図２】実施例１のレンズ装置１に関する露出表。
【図３】実施例１のレンズ装置１に関する露出表。
【図４】実施例１のレンズ装置１に関わる処理を説明したフローチャート。
【図５】実施例１のレンズ装置１に関する各部波形。
【図６】実施例１のレンズ装置１に関する各部波形。
【図７】実施例２に用いるレンズ装置２およびカメラ装置３の機能ブロック図。
【図８】実施例２のカメラ装置３に関わる処理を説明したフローチャート。
【図９】実施例２に用いるレンズ装置２およびカメラ装置３の機能ブロック図。
【図１０】実施例３のレンズ装置１に関する各部波形。
【図１１】実施例４に用いる撮影システムの機能ブロック図。
【発明を実施するための形態】
【００１０】
以下に、本発明の好ましい実施の形態を、添付の図面に基づいて詳細に説明する。
【実施例１】
【００１１】
以下、図１〜６を用いて、本発明の一実施例を説明する。まず、図１を用いて、本実施例に用いるレンズ装置について説明する。図１は、本発明のレンズ装置１の機能ブロック図である。
【００１２】
図１に示すレンズ装置１は、主として、光学レンズ部１０、駆動部１１、１２、状態検出部１３、１４、絞りボリューム１５（以下、絞りＶＲ１５）、スイッチＳＷ１６（以下、ＳＷ１６）、演算器ＣＰＵ１７（以下、ＣＰＵ１７）にて構成される。
【００１３】
光学レンズ部１０は、主として、光学レンズ（不記載）、機械絞り部１０１、光透過率可変素子１０２にて構成され、光学レンズで被写体像を結像し、機械絞り部１０１および光透過率可変素子１０２で、光学レンズ部１０に入射した光の光量を調整する。
【００１４】
なお、本実施例の光透過率可変素子１０２は、以下の特許文献３に公開されている公知公用のエレクトロクロミック素子を使用し、光学レンズ部１０を通過する光路中に配置されるものとする。
［特許文献３］  特開２００４−２７９５５６号公報
駆動部１１は、機械絞り部１０１と機械式ギアを介して接続されたモータおよびその駆動回路で構成され、ＣＰＵ１７が出力する駆動信号Ｓ１に従って、機械絞り部１０１を駆動する。また、駆動部１２は、光透過率可変素子１０２を駆動するための駆動回路で構成され、ＣＰＵ１７が出力する駆動信号Ｓ２に従って、光透過率可変素子１０２を駆動する。
【００１５】
次に、状態検出部１３は、機械絞り部１０１と機械式ギアを介して接続されたポテンショメータで構成され、機械式絞り部１０１の絞り具合を機械的に検出し、状態信号Ｓ３を出力する。また、状態検出部１４は、光透過率可変素子１０２の光透過率を検出する検出器で構成され、状態信号Ｓ４を出力する。
【００１６】
なお、本実施例では、光透過率可変素子１０２の光透過率は、駆動部１２が出力する駆動波形を観察することで把握できるものとし、状態検出部１４は、駆動部１２の出力波形を検出する検出器とする。この詳細は、上記特許文献３に公開されている。また、駆動部１２の出力波形が、ＣＰＵ１７内部で生成する駆動信号Ｓ２と実質的に等価である場合、この状態検出部１４を省略し、駆動信号Ｓ２を、状態信号Ｓ４相当の信号として扱っても構わない。
【００１７】
次に、絞りＶＲ１５は、公知公用の機械式ボリュームであり、機械絞り部１０１の絞り値を指示する指示信号Ｓ５を出力する。また、ＳＷ１６は、公知公用の機械式プッシュスイッチであり、設定開始／決定／終了の３つのプッシュボタンを有し、これらスイッチの状態を示す指示信号Ｓ６’を出力する。
【００１８】
ＣＰＵ１７は、レンズ装置１の演算部であり、上記の状態信号Ｓ３、Ｓ４、指示信号Ｓ５、Ｓ６、を入力し、駆動信号Ｓ１、Ｓ２を出力する。
【００１９】
以下、図１〜６を用いて、ＣＰＵ１７を含め、本発明のレンズ装置１の動作について説明する。
【００２０】
なお、機械絞りまたは、シャッタ速度または、撮影感度の３つの撮影調整要素のうち、一つの要素の調整状態を変更する時に、露出量および、変更した要素以外の要素の調整状態を一定に保つ本発明の制御を、協調制御と表現する。また、本実施例では、便宜上、カメラ装置のシャッタ速度を、１／１２５［ｓｅｃ］（一定）とする。
【００２１】
図２は、横軸がシャッタ速度、縦軸が絞り値の露出表である。また、図３は、図２に対して、横軸を光透過率可変素子１０２の透過率に置換えた露出表であり、シャッタ速度１／１２５［ｓｅｃ］を透過率１／１（透過率１００％、減光なし）、同１／２５０［ｓｅｃ］を同１／２（以降、同様）として置換えて表記している。
【００２２】
まず、図１において、撮影者が協調制御の設定を行うために、ＳＷ１６の「設定開始」ボタンを押すと、ＳＷ１６は、協調制御設定開始信号Ｓ６を出力する。ＣＰＵ１７は、この信号Ｓ６を入力し、駆動部１２へ、透過率を一定にするコントロール信号Ｓ２を出力する。そして、駆動部１２は、この信号Ｓ２を入力し、一定の透過率で固定するように、光透過率可変素子１０２を駆動する。なお、本実施例では、透過率１／１に固定するものとする。ここで、撮影者が、撮影の露出量を決定するために、カメラ装置の撮影映像を見ながら、絞りＶＲ１５を操作する。そして、絞りＶＲ１５は、絞りコントロール信号Ｓ５をＣＰＵ１７へ出力する。また、ＣＰＵ１７は、この信号を入力し、駆動部１１へ駆動信号Ｓ１を出力して、機械絞り部１０１を駆動する。
【００２３】
本実施例では、絞り値Ｆ１１を適正値（適正露出時の絞り値）とし、シャッタ速度が上記の通り１／１２５［ｓｅｃ］であるので、図２に示すように、１４ＥＶが適正露出量となる。
【００２４】
次に、撮影者がＳＷ１６の「決定」ボタンを押すと、ＳＷ１６は決定信号Ｓ６を出力する。そして、ＣＰＵ１７では、この信号Ｓ６を入力し、上記の固定状態を解除して、協調制御を実現するためのコントロールを出力する。また、駆動部１２は、このコントロールに基づいて、透過率可変素子１０２を駆動する。なお、協調制御およびその動作の詳細については、後紀する。
【００２５】
さらに、撮影者がＳＷ１６の「終了」ボタンを押すと、ＳＷ１６は、協調制御終了信号Ｓ６を出力し、ＣＰＵ１７は、この信号Ｓ６を入力して協調制御を終了する。
【００２６】
以下、上記の動作について、図４を用いて説明する。図４は、主として、本実施例のレンズ装置１の動作を説明したフローチャートである。
【００２７】
まず、ステップＳＴ０１にて、ＳＷ１６が「設定開始」状態であるか否かを判定し、「設定開始」状態であればステップＳＴ０２へ進み、「設定開始」状態でなければ、ステップＳＴ０１へ戻る。次に、ステップＳＴ０２では、光透過率可変素子１０２が、透過率１／１で固定される。さらに、ステップＳＴ０３では、露出調整のために、撮影者が絞りＶＲ１５を調整し、ステップＳＴ０４へ進む。
【００２８】
そして、ステップＳＴ０４では、ＳＷ１６が「決定」状態か否かを判定し、「決定」状態であればステップＳＴ０５へ進み、「決定」状態でなければ、ステップＳＴ０２へ戻る。また、ステップＳＴ０５では、適正露出量が決定され、ステップＳＴ０６では、光透過率可変素子１０２は、透過率１／１で固定された状態が解除される。そして、ステップＳＴ０７では、光透過率可変素子１０２が、機械絞り部１０１の動作に対して協調制御され、ステップＳＴ０８へ進む。さらに、ステップＳＴ０８では、ＳＷ１６が「終了」状態であれば、ステップＳＴ０９へ進み、「終了」状態でなければ、ステップＳＴ０７へ戻る。また、ステップＳＴ０９では、光透過率可変素子１０２の協調制御が解除される。
【００２９】
以上により、撮影者がＳＷ１６のボタン操作を行い、「設定開始」を指示すると、光透過率可変素子１０２が透過率１／１で固定された状態になり、そこで、撮影者が絞りＶＲ１５を操作して、撮影映像を適正露出量に調整する。そして、再度、撮影者がＳＷ１６のボタン操作を行い、「決定」を指示すると、光透過率可変素子１０２は、上記の固定状態が解除され、機械絞り部１０１は協調制御状態に移行する。また、撮影者がＳＷ１６のボタン操作を行い、「終了」を指示すると、協調制御を終了する。
【００３０】
以上の結果、図３に示すように、機械絞り部１０１がＦ１１〜Ｆ８〜と変化することに従って、光透過率可変素子１０２は、透過率が１／１〜１／２〜と駆動される。
【００３１】
次に、協調制御および、協調制御時の過度状態の各部波形に関して、図１、５、６を用いて説明する。
【００３２】
図５および図６は、機械絞り部１０１および光透過率可変素子１０２に対するコントロール信号および位置信号と、機械絞り部１０１および光透過率可変素子１０２を通過して得られる撮影露出量（以下、合計露出量）、さらに、機械絞り部１０１の絞りにより得られる撮影映像のボケ具合を説明した図である。
【００３３】
まず、図５は、機械絞り部１０１の絞り値相当のコントロールの増減を反転し、これを光透過率可変素子１０２の透過率相当のコントロールに換算した後、光透過率可変素子１０２に付与した場合の各部波形を表している。
【００３４】
同図において、機械絞り部１０１のコントロールは、動作開始時刻Ｔ０から時刻Ｔ１にかけて、Ｆ値換算でＦ１１からＦ２．０まで変化するが、機械絞り部１０１はメカ機構の動作を伴うため、このコントロールに対して遅れて動作し、Ｔ１よりも遅い時刻Ｔ２において、Ｆ２．０に到達する。
【００３５】
一方で、光透過率可変素子１０２は、メカ機構の動作を伴わないため、機械絞り部１０１に対して応答性が極めて高く、コントロールとほぼ同時刻Ｔ１に、透過率１／３２に到着する。
【００３６】
この結果、機械絞り部１０１の動作は、光透過率可変素子１０２の動作に対して時間的遅延を生じるため、同図に示すように、合計露出量は１４ＥＶを保てず、時刻Ｔ１で大きく低下し、その後、時刻Ｔ２に向って１４ＥＶまで回復することになる。
【００３７】
次に、本実施例の場合について、図６を用いて説明する。図６では、機械絞り部１０１の絞り値相当の位置信号の増減を反転し、これを光透過率可変素子１０２の透過率相当のコントロールに換算した後、光透過率可変素子１０２に付与する。
【００３８】
このように、機械絞り部１０１の現在位置に基づいて、光透過率可変素子１０２のコントロールを生成するため、図５のように、光透過率可変素子１０２が機械絞り部１０１よりも先行して動作することがなく、光透過率可変素子１０２は、Ｔ０からＴ２にかけて、機械絞り部１０１による露出量の上昇を補填する形で動作し、合計露出量は、Ｔ０からＴ２の全域に渡り一定を保つことができる。
【００３９】
以上より、本実施例のレンズ装置１の協調制御では、機械絞り部１０１の位置信号に基づいて、光透過率可変素子１０２のコントロールを生成しているため、機械絞り部１０１と光透過率可変素子１０２の露出量の変化が、互いに相殺する形でそれぞれ動作し、合計露出量が常に一定を保つことができる。
【００４０】
こうした効果は、動画撮影の場合に特に顕在化する。動画撮影の場合は、静止画撮影の場合と異なり、協調制御を映像効果として使用する場合、機械絞り部１０１が変化している過度状態下では、常に、合計露出量を一定に保つことが求められる。従って、合計露出量が一定となるように、機械絞り部１０１と光透過率可変素子１０２を制御することが特に求められ、応答性の高い光透過率可変素子１０２を、応答性の低い機械絞り部１０１に併せて動作させることが非常に重要となる。この一方法として、本実施例では、機械絞り部１０１の位置信号の増減を反転し、透過率換算して光透過率可変素子１０２のコントロールを生成している。
【００４１】
なお、制御方法に関して、上記以外の方法でも良く、機械式絞り部の動作に基づいて、光透過率可変素子を制御すれば、合計露出量を一定に保つことができる。
【実施例２】
【００４２】
以下、図７〜８を用いて、本発明の他の一実施例を説明する。本実施例は、レンズ装置の光透過率可変素子と、レンズ装置とセットで運用するカメラ装置のシャッタや撮影感度と協調制御する点が、実施例１と異なる。以下、主として、この差異の詳細について説明する。図７は、本実施例に用いるレンズ装置２およびカメラ装置３の機能ブロック図である。
【００４３】
レンズ装置２は、図１のレンズ装置１に対して、レンズ装置１の外部との通信を行う通信部２８を追加した点が異なり、このレンズ側の通信部２８を介して、カメラ装置３からの各種情報を受信し、カメラ装置３との間で、本発明の協調制御を行う。なお、本実施例においては、下記の撮像部３１のシャッタ速度および撮影感度は、光透過率可変素子１０２と比較して、コントロールに対する応答性は低いものとし、これらシャッタ速度や撮影感度の値（実施例１の機械絞り部１０１の位置に相当する値）に基づいて、光透過率可変素子１０２のコントロールを生成するものとする。
【００４４】
カメラ装置３は、主として、撮像部３１、駆動部３３、状態検出部３４、通信部３５、シャッタボリュームＶＲ３６（以下、シャッタＶＲ３６）、撮影感度ボリュームＶＲ３７（以下、撮影感度ＶＲ３７）、スイッチＳＷ３８（以下、ＳＷ３８）、演算部ＣＰＵ３９（以下、ＣＰＵ３９）より構成される。
【００４５】
撮像部３１は、公知公用の撮像素子およびその駆動回路等で構成される撮像部であり、レンズ装置２で結像した被写体像を撮影すると共に、撮影の露光時間（シャッタ速度）や撮影感度の制御、さらに、これらの制御状態の検出も併せて処理する。カメラ側の通信部３５は、カメラ装置３の外部と通信を行う通信部であり、本実施例では、レンズ装置２との間で通信を行う。
【００４６】
駆動部３３はＣＰＵが出力する駆動信号Ｓ１１を入力し、撮像部３１の駆動制御を行う駆動回路にて構成される。また、状態検出部３４は、撮像部３１のシャッタ速度や撮影感度を検出する検出器である。なお、ＣＰＵ３９内部で生成するシャッタ速度や撮影感度の指令値と、撮像部３１のシャッタ速度や撮影感度が実質的に等価である場合、この状態検出部３４を省略し、ＣＰＵ３９内部のこれら指令値を状態検出部の検出結果として扱っても構わない。
【００４７】
シャッタＶＲ３６および撮影感度ＶＲ３７は、公知公用の機械式ボリュームであり、撮像部３１のシャッタ速度および撮影感度を指示する指示信号Ｓ１３およびＳ１４を出力する。また、ＳＷ３８は、公知公用の機械式プッシュスイッチであり、設定開始／撮影感度／シャッタ速度／決定／終了の５つのプッシュボタンを有し、これらスイッチの状態を示す指示信号Ｓ１５を出力する。
【００４８】
ＣＰＵ３９は、カメラ装置３の演算部であり、撮像部３１の状態信号Ｓ１２および、上記指示信号Ｓ１３、Ｓ１４、Ｓ１５を入力し、撮像部３１の駆動信号Ｓ１１を出力する。
以下、図７、８を用いて、本発明のレンズ装置２およびカメラ装置３の動作について説明する。
【００４９】
図８は、本実施例のカメラ装置３の動作を説明したフローチャートである。まず、ステップＳＴ２１にて、ＳＷ３８が「設定開始」状態であるか否かを判定し、「設定開始」状態であればステップＳＴ２２へ進み、「設定開始」状態でなければ、ステップＳＴ２１へ戻る。次に、ステップＳＴ２２では、光透過率可変素子１０２を透過率１／１に固定することを指示する信号を、カメラ側のカメラ側の通信部３５を介して、レンズ装置２へ送信する。さらに、ステップＳＴ２３では、ＳＷ３８が「シャッタ速度」状態であるかを判定し、「シャッタ速度」状態であればステップＳＴ２４へ進み、「シャッタ速度」状態でなければ、ステップＳＴ３２へ進む。
【００５０】
まず、ステップＳＴ２４では、ＳＷ３８が、協調制御対象をシャッタとする旨の指示信号Ｓ１５を出力する。そして、ＣＰＵ１７では、この信号を入力し、制御対象をシャッタ速度に設定する。
【００５１】
また、ステップＳＴ２５では、露出調整のために、撮影者がシャッタＶＲ３６を調整し、ステップＳＴ２６へ進む。そして、ステップＳＴ２６では、ＳＷ３８が「決定」状態か否かを判定し、「決定」状態であればステップＳＴ２７へ進み、「決定」状態でなければ、ステップＳＴ２４へ戻る。また、ステップＳＴ２７では、露出量が決定された旨の情報を、カメラ側の通信部３５を介して、レンズ装置２へ送信する。
【００５２】
ステップＳＴ２８では、光透過率可変素子１０２は、透過率１／１で固定された状態が解除される。そして、ステップＳＴ２９では、シャッタ速度状態信号が、通信手段３５を介して、レンズ装置２へ送信される。また、ステップＳＴ３０では、光透過率可変素子１０２が、撮像部３１のシャッタ速度の状態に基づいて、協調制御される。そして、ステップＳＴ３１では、ＳＷ３８が「終了」状態であれば、ステップＳＴ４０へ進み、「終了」状態でなければ、ステップＳＴ２９へ戻る。また、ステップＳＴ４０では、光透過率可変素子１０２の協調制御が解除される。
【００５３】
次に、ステップＳＴ３２では、ＳＷ３８が、協調制御対象を撮影感度とする旨の指示信号Ｓ１５を出力する。また、ステップＳＴ３３では、露出調整のために、撮影者がシャッタＶＲ３６を調整し、ステップＳＴ３４へ進む。そして、ステップＳＴ３４では、ＳＷ３８が「決定」状態か否かを判定し、「決定」状態であればステップＳＴ３５へ進み、「決定」状態でなければ、ステップＳＴ３２へ戻る。また、ステップＳＴ３５では、露出量が決定された旨の情報を、カメラ側の通信部３５を介して、レンズ装置２へ送信する。
【００５４】
ステップＳＴ３６では、光透過率可変素子１０２は、透過率１／１で固定された状態が解除される。そして、ステップＳＴ３７では、撮影感度状態信号が、通信手段３５を介して、レンズ装置２へ送信される。また、ステップＳＴ３８では、光透過率可変素子１０２が、撮像部３１の撮像感度の状態に基づいて、協調制御される。そして、ステップＳＴ３９では、ＳＷ３８が「終了」状態であれば、ステップＳＴ４０へ進み、「終了」状態でなければ、ステップＳＴ３７へ戻る。
【００５５】
なお、本実施例では、シャッタ速度や撮影感度の状態から、光透過率可変素子のコントロールを生成する場合、露出量が決定した状態（上記ステップＳＴ２７、３５）を基準（１／１）として、シャッタ速度や撮影感度の変更による露出量の変化程度を算出し、それを光透過率可変素子の透過率に換算し、反転する。従って、シャッタ速度が１／１２５（基準）から１／２５０となれば、露出量が１／２倍に変更したことになり、光透過率可変素子のコントロールを、透過率換算で２／１倍になるように、生成すればよい。また、撮影感度も同様に、ＩＳＯ４００（基準）からＩＳＯ２００になれば、透過率可変素子のコントロールを、透過率換算で２／１倍になるように、生成すればよい。
【００５６】
以上により、撮影者がカメラ装置３のＳＷ３８のボタン操作を行い、「設定開始」を指示すると、レンズ装置２の光透過率可変素子１０２が透過率１／１で固定された状態になり、そこで、撮影者がシャッタＶＲ３６や撮影露出ＶＲ３７を操作して、撮影映像を適正露出量に調整する。そして、再度、撮影者がＳＷ３８のボタン操作を行い、「決定」を指示すると光透過率可変素子１０２は、上記の固定状態が解除され、シャッタ速度や撮影感度は、この適正露出状態を維持するように、協調制御状態に移行する。また、撮影者がＳＷ３８のボタン操作を行い、「終了」を指示すると、協調制御を終了する。
【００５７】
本実施例では、シャッタ速度や撮影感度といった、実施例１とは異なる撮影調整要素と、光透過率可変素子との協調制御を行うことができる。これにより、例えば、撮影者の意図として、絞りと撮影感度を変えることなく、シャッタ速度だけを変更し、流し撮りのような映像（低速シャッタ速度設定）から、流れの少ない映像（高速シャッタ速度設定）へ、連続的に変更するような映像効果を得ることができる。また、同様に撮影感度だけを変更し、ざらつきのない映像（低感度設定）からざらつきのある映像（高感度設定）へ、連続的に変更するような映像効果を得ることができる。こうした効果は、実施例１と同様に、動画撮影の場合に特に顕在化する。
【実施例３】
【００５８】
以下、図９を用いて、本発明の他の一実施例を説明する。図９は、本実施例に用いるレンズ装置４の機能ブロック図である。
【００５９】
レンズ装置４は、レンズ装置１に対して、光学レンズ部１０の代わりに、光学レンズ部４０を用いた点と、光透過率可変素子１０２の駆動部１２および状態検出部１４の代わりに、光透過率可変素子４０２の駆動部４２および状態検出部４４を用いた点が異なる。
以下、主として、この差異の詳細について説明する。
【００６０】
光学レンズ部４０は、光学レンズ部１０の光透過率可変素子１０２の代わりに、グラディエーションＮＤフィルタにて構成される光透過率可変素子４０２を用いているものとし、実施例１とは逆に、機械絞り部１０１の応答性が、光透過率可変素子４０２の応答性よりも高いものとする。
【００６１】
なお、このグラディエーションＮＤフィルタは、以下特許文献４に公開されている。
［特許文献４］  特開２００３−２４３９２８号公報
また、駆動部４２は、光透過率可変素子４０２と機械式ギアを介して接続されたモータおよびその駆動回路で構成され、ＣＰＵ１７が出力する駆動信号Ｓ７に従って、光透過率可変素子４０２を駆動する。
【００６２】
次に、状態検出部３４は、光透過率可変素子４０２と機械式ギアを介して接続されたポテンショメータで構成され、光透過率可変素子４０２の透過率の程度（位置情報）を機械的に検出し、状態信号Ｓ８を出力する。
【００６３】
次に、協調制御および、協調制御時の過度状態の各部波形に関して、図６、１０を用いて説明する。図１０は、機械絞り部１０１および光透過率可変素子４０２に対するコントロール信号および位置信号と、機械絞り部１０１および光透過率可変素子４０２を通過して得られる合計露出量、さらに、機械絞り部１０１の絞りにより得られる撮影映像のボケ具合を説明した図である。
【００６４】
本実施例では、実施例１の図６の場合と異なり、光透過率可変素子４０２の透過率相当の位置信号の増減を反転し、これを機械絞り部１０１の絞り値相当のコントロール信号に換算した後、駆動部１１に付与する。
【００６５】
以上のように、実施例１とは異なり、実施例１とは逆に、機械絞り部１０１の応答性が、光透過率可変素子４０２の応答性よりも高い場合、光透過率可変素子４０２の現在位置に基づいて、機械絞り部１０１のコントロールを生成すればよい。
【００６６】
このように、実施例１とは逆に、機械絞り部の応答性が、光透過率可変素子の応答性よりも高い場合でも、本発明を適用することができる。
【実施例４】
【００６７】
更に、その他の実施例について、図７、１１を用いて説明する。図１１は、実施例２に記載のレンズ装置とカメラ装置が一体となった撮影システム５の機能ブロックであり、レンズ装置２とカメラ装置３のＣＰＵ１７およびＣＰＵ３９を一つのＣＰＵ５０にまとめ、また、レンズ装置２とカメラ装置３の通信を行う通信部２８および３５を削除している。
【００６８】
このように、本発明は、レンズ装置とカメラ装置が一体となった撮影システムでも、同様に適用することができる。また、本発明において、カメラ装置に、機械絞り部や光透過率可変素子部があっても構わず、さらに、シャッタ部のシャッタは、撮像素子の蓄積時間、機械式シャッタ、液晶シャッタ等、その種類を問わない。
【符号の説明】
【００６９】
１  レンズ装置、２  レンズ装置、３  カメラ装置、４  レンズ装置、５  撮影システム
【図１】
2016033562.tif 000003
【図２】
2016033562.tif 000004
【図３】
2016033562.tif 000005
【図４】
2016033562.tif 000006
【図５】
2016033562.tif 000007
【図６】
2016033562.tif 000008
【図７】
2016033562.tif 000009
【図８】
2016033562.tif 000010
【図９】
2016033562.tif 000011
【図１０】
2016033562.tif 000012
【図１１】
2016033562.tif 000013